(57)【要約】【課題】内蔵された同軸ケーブルと端子との接続部分が好適に保護されつつ、同軸ケーブルと端子との接続状態が、電力を要さずに、外部から視認される、新規な構成の電子機器を提供する。【解決手段】筐体２０内部に変位可能に配設された可動部材３２は、同軸ケーブル１２の内部導体１６と外部導体１８とが筐体２０内部の各端子１４に接続されると、それら内部導体１６と外部導体１８との少なくとも一方に当接して、筐体２０壁部に形成された窓部３０と対向する領域を変位するようになっており、可動部材３２の変位前に外方から窓部３０を通じて視認される色と可動部材３２の変位後に外方から窓部３０を通じて視認される色とが、互いに異ならされている。【選択図】図３
2010238608.tif 000002
【特許請求の範囲】
【請求項１】
同軸ケーブルの内部導体と該内部導体と同心状に設けられた外部導体とにそれぞれ接続するための端子が収容された筐体を備え、該筐体の壁部には該同軸ケーブルを挿通する挿通孔が形成されて、該内部導体および該外部導体と各該端子とが該筐体内部において電気的に接続されるようにした電子機器であって、
前記筐体の壁部に該筐体の内外を透過する窓部が形成され、
該筐体の内部に可動部材が変位可能に配設されて、該可動部材は、前記同軸ケーブルの前記内部導体と前記外部導体とが各前記端子に接続されると、それら内部導体と外部導体との少なくとも一方に当接して、該窓部と対向する領域を変位するようになっており、
更に、該可動部材の変位前に外方から該窓部を通じて視認される色と該可動部材の変位後に外方から該窓部を通じて視認される色とが、互いに異ならされていることを特徴とする電子機器。
【請求項２】
前記可動部材を前記窓部と対向する位置と対向しない位置とに位置決めする変位規制部材が設けられ、更に該可動部材において該窓部と対向する部分には、外方から該窓部を通じて視認される前記筐体内部の色と異なる色が付されていることを特徴とする請求項１に記載の電子機器。
【請求項３】
前記可動部材の一部は前記筐体に対して軸支され、該可動部材が、前記端子に接続された前記内部導体と前記外部導体との少なくとも一方に当接して支軸回りを回動することにより、前記窓部と対向する領域を変位することを特徴とする請求項１又は２に記載の電子機器。
【請求項４】
前記同軸ケーブルには、該筐体に挿通された前記同軸ケーブルの外周部分を挿通方向と反対方向に弾性的に係止する弾性係止片が設けられていることを特徴とする請求項１乃至３の何れか一項に記載の電子機器。
【請求項５】
前記弾性係止片に係止される前記同軸ケーブルの外周部分は、外周面に露呈した前記外部導体とされており、該外部導体と該弾性係止片とが電気的に接続されることによって、該弾性係止片は前記端子として機能することを特徴とする請求項４に記載の電子機器。
【発明の詳細な説明】
【技術分野】
【０００１】
本発明は、同軸ケーブルを接続するための端子を有する電子機器に係り、例えば、アンテナに接続するブースタやコンバータ、混合器、分配器、分岐器、その他各種のセパレータや直列ユニットなどに適用される電子機器に関するものである。
【背景技術】
【０００２】
従来から、上記電子機器の一種には、同軸ケーブルの導体を弾性的に挟み込み支持可能な端子が筐体内部に収容され、筐体壁部に貫設された孔に同軸ケーブルを挿通して、同軸ケーブルの導体が端子に挟み込まれて弾性的に支持されることにより、同軸ケーブルと端子とを電気的に接続する構成が知られている。
【０００３】
このため、同軸ケーブルと端子との接続部分が筐体で覆われることから、確実に接続されているか否か外部から視認され難い問題があった。
このような問題に対処するために、例えば、筐体壁部において同軸ケーブルと端子との接続部分と対向する部分にアクリル樹脂などの光透過性を有する合成樹脂材料を用い、接続部分を筐体外部から視認出来るようにすることも考えられる。
【０００４】
しかしながら、電子機器に内蔵された高周波回路などの電子回路の耐ノイズ性を向上させる観点から、筐体において特に電子回路を覆う部分には高い導電性が求められ、そこにおいて、上述の如く、接続部分の視認のために十分な光透過性を有し、且つ導電性を有する材料を用いて筐体を形成することは、極めて難しい。
【０００５】
そこで、本出願人は、上記問題に鑑み、先の出願において、同軸ケーブルが端子に接続されると、通電により発光するＬＥＤなどの発光手段を筐体外部から見える位置に設けた電子機器を提案した（特許文献１参照。）。
【先行技術文献】
【特許文献】
【０００６】
【特許文献１】特開２００７−１２３３６５号公報
【発明の概要】
【発明が解決しようとする課題】
【０００７】
しかしながら、上記特許文献１に記載の電子機器では、同軸ケーブルと端子との接続部分や電子回路を外部から好適に保護しつつ、かかる接続状態が筐体外部から明確に認められるものの、ＬＥＤなどを発光させるための電力が必要になることから、活電状態でないと確認できない煩わしさがあった。
【０００８】
本発明は、上述の如き事情を背景として為されたものであって、その解決課題とするところは、内蔵された同軸ケーブルと端子との接続部分が好適に保護されつつ、同軸ケーブルと端子との接続状態が、電力を要さずに、外部から視認される、新規な構成の電子機器を提供することにある。
【課題を解決するための手段】
【０００９】
かかる課題を解決するために為された請求項１に記載の発明は、同軸ケーブルの内部導体と該内部導体と同心状に設けられた外部導体とにそれぞれ接続するための端子が収容された筐体を備え、該筐体の壁部には該同軸ケーブルを挿通する挿通孔が形成されて、該内
部導体および該外部導体と各該端子とが該筐体内部において電気的に接続されるようにした電子機器であって、前記筐体の壁部に該筐体の内外を透過する窓部が形成され、該筐体の内部に可動部材が変位可能に配設されて、該可動部材は、前記同軸ケーブルの前記内部導体と前記外部導体とが各前記端子に接続されると、それら内部導体と外部導体との少なくとも一方に当接して、該窓部と対向する領域を変位するようになっており、更に、該可動部材の変位前に外方から該窓部を通じて視認される色と該可動部材の変位後に外方から該窓部を通じて視認される色とが、互いに異ならされていることを特徴とする。
【００１０】
また、請求項２に記載の発明は、請求項１に記載の電子機器において、前記可動部材を前記窓部と対向する位置と対向しない位置とに位置決めする変位規制部材が設けられ、更に該可動部材において該窓部と対向する部分には、外方から該窓部を通じて視認される前記筐体内部の色と異なる色が付されていることを特徴とする。
【００１１】
また、請求項３に記載の発明は、請求項１又は２に記載の電子機器において、前記可動部材の一部は前記筐体に対して軸支され、該可動部材が、前記端子に接続された前記内部導体と前記外部導体との少なくとも一方に当接して支軸回りを回動することにより、前記窓部と対向する領域を変位することを特徴とする。
【００１２】
また、請求項４に記載の発明は、請求項１乃至３の何れか一項に記載の電子機器において、前記同軸ケーブルには、該筐体に挿通された前記同軸ケーブルの外周部分を挿通方向と反対方向に弾性的に係止する弾性係止片が設けられていることを特徴とする。
【００１３】
また、請求項５に記載の発明は、請求項４に記載の電子機器において、前記弾性係止片に係止される前記同軸ケーブルの外周部分は、外周面に露呈した前記外部導体とされており、該外部導体と該弾性係止片とが電気的に接続されることによって、該弾性係止片は前記端子として機能することを特徴とする。
【発明の効果】
【００１４】
請求項１に記載の電子機器においては、同軸ケーブルが端子に接続された際に、可動部材と同軸ケーブルとの当接による可動部材の変位によって、外方から視認される窓部の色が、内部導体および外部導体と各端子における接続前の状態と接続後の状態とで変化する。これにより、同軸ケーブルと端子が接続されているか否かを、電力を要さずに外部から容易に確認することが出来る。
【００１５】
特に、接続状態は、窓部を通じて視認される色の変化を利用して判断されるようにしたことから、接続状態が直接に視認されるほどに大きな窓部を形成する必要がなくなる。その結果、筐体における窓部の小形化に基づいて、電子機器に内蔵された電子回路や同軸ケーブルと端子との接続部分の好適な保護が図られる。
【００１６】
また、請求項２に記載の電子機器によれば、可動部材の変位が規制されることによって、可動部材の変位前に外方から窓部を通じて視認される色と変位後に視認される色とが、確実に異ならされることとなり、同軸ケーブルと端子とにおける接続状態の判断が一層確実になされる。
【００１７】
また、請求項３に記載の電子機器によれば、可動部材が内部導体と外部導体との少なくとも一方に当接して窓部と対向する領域を変位する機構が、簡単な構成で実現される。
【００１８】
また、請求項４に記載の電子機器によれば、同軸ケーブルが弾性係止片を介して筐体に支持されて、同軸ケーブルと端子との接続状態が安定することに加え、かかる接続後に同軸ケーブルの変位に基づく可動部材の変位が抑えられることによって、窓部を通じて視認
される色の変化が防止されて、接続状態の確認が一層安定する。更に、同軸ケーブルの係止部材が、同軸ケーブルを弾性的に係止する弾性係止片とされていることにより、弾性係止片を変形させることによって、同軸ケーブルの電子機器への着脱作業が容易になる。
【００１９】
また、請求項５に記載の電子機器によれば、弾性係止片が外部導体の接続端子として機能することによって、部品点数が削減され、電子機器のコンパクト化や製造コストの削減化などが有利に図られる。
【図面の簡単な説明】
【００２０】
【図１】本発明の一実施形態としての分配器に対して同軸ケーブルが取り付けられた状態を示す斜視図。
【図２】（ａ）は同分配器の要部を拡大して概略的に示す横断面図であり、（ｂ）は図２（ａ）のＢ−Ｂ矢視図である。
【図３】同分配器に同軸ケーブルを取り付けた状態の要部を拡大して概略的に示す横断面図。
【発明を実施するための形態】
【００２１】
以下に、本発明の実施形態について図面を参照しつつ説明する。図１，２には、本発明の電子機器に関する一実施形態としての分配器１０が示されている。分配器１０は、例えば、テレビ放送受信用のアンテナが受けた高周波の受信信号を複数の端末（テレビ）に分配して出力するためのものであり、アンテナ線側の同軸ケーブル１２ａを接続する入力端子と各端末側の同軸ケーブル１２ｂ，１２ｃを接続する出力端子１４とを備えている。本実施形態の分配器１０は、出力端子１４を２つ備えた二分配器とされている。
【００２２】
なお、同軸ケーブル１２には、図３にも示されるように、公知の構成が採用される。つまり、内部導体としての芯線１６回りに絶縁材を介して外部導体１８が同心状に設けられて、外部導体１８には絶縁被覆材が被覆されている。また、同軸ケーブル１２の先端部分は、端子１４への接続に際して段剥ぎされて、芯線１６が外部導体１８よりも先端方向に突出した形態で、芯線１６と外部導体１８における各先端側の外周面が露呈している。
【００２３】
分配器１０は、筐体としてのケース２０を備えている。ケース２０は、所定の箱形状（例えば矩形箱状）を有する亜鉛ダイキャスト製品などの導電性部材からなり、全体として略密閉構造とされている。ケース２０壁部には、同軸ケーブル１２を挿通するための挿通孔２２が複数設けられている。
【００２４】
また、ケース２０には、基板が収容されている。この基板は、電子回路としての分配回路を組んでおり、かかる分配回路に接続された入力端子（図示せず）と出力端子１４，１４とが設けられている。出力端子１４は、第一接片２４と第二接片２６とを含んで構成されている。
【００２５】
第一接片２４は、互いに対向する一対の金属ばねからなり、基板に対して弾性変形可能に支持されている。また、第一接片２４は、一対の金属ばねの対向方向と直交する方向でケース２０壁部の挿通孔２２と離隔して対向するようにして、ケース２０内部に配置されている。
【００２６】
第二接片２６は、略円環形状の金属ばねからなり、ケース２０壁部の内側における挿通孔２２回りに対して外周部分が支持されており、内周部分が挿通孔２２と対向している。特に、第二接片２６は、ケース２０壁部に支持された外周部分から内周部分に向かってケース２０壁部から内側に突出する形態を有していると共に、複数の切欠きが周方向に略等間隔に設けられている。
【００２７】
また、ケース２０壁部の挿通孔２２の周縁部には、略円筒形状のリリース部材２８が内挿されている。リリース部材２８の軸方向両側には、挿通孔２２の径寸法よりも大径の突起が軸直角方向に突設されており、それら突起がケース２０壁部の厚さ寸法よりも大きな寸法で離隔配置されている。これにより、リリース部材２８は、ケース２０壁部からの抜け落ちを防止しつつ、ケース２０壁部に対して挿通孔２２と貫通方向と平行な軸方向に所定距離だけ変位可能に支持されている。
【００２８】
そこにおいて、ケース２０壁部の挿通孔２２の周囲には、窓部３０が貫設されており、ケース２０内部が窓部３０を通じて外部から視認されるようになっている。本実施形態の窓部３０は、ケース２０内部の色とケース２０壁部の色とが明確に区別出来る判別性を有しつつ、可及的に小さくされている。
【００２９】
また、ケース２０内部には、可動部材３２が設けられている。可動部材３２は、長手状の合成樹脂材料などからなり、その長手方向中間部分に枢軸３４が設けられ、かかる枢軸３４が基板を介してケース２０壁部に、又はケース２０壁部に直接に支持されている。これにより、可動部材３２の枢軸３４を挟んだ一方の部分３６と他方の部分３８とが、枢軸３４回りを回動可能とされている。
【００３０】
可動部材３２における枢軸３４を挟んだ一方の部分３６は、ケース２０内部において第一接片２４を挟んで挿通孔２２と反対側付近に配置されている。また、可動部材３２における枢軸３４を挟んだ他方の部分３８は、ケース２０内部において窓部３０の近傍に配置されている。
【００３１】
可動部材３２の他方の部分３８の先端側は、他方の部分３８に対して曲げ変形可能な表示部４０とされている。表示部４０は、ケース２０の窓部３０よりも大きな外形を有している。また、表示部４０には、一方及び他方の部分３６，３８の色に加え、ケース２０の色とも異なる色が付されている。
【００３２】
なお、表示部４０の色とケース２０の色とは、コントラスト（明暗の差）が大きい方が望ましく、例えば、ケース２０が黒色や灰色などを有している場合に、表示部４０には赤色や黄色などが採用されることが望ましい。
【００３３】
また、可動部材３２の回動領域は、表示部４０が窓部３０と対向する領域を含み、表示部４０は、可動部材３２の回動によって、窓部３０に対して重なる位置と重ならない位置とを変位可能とされている。
【００３４】
さらに、本実施形態では、可動部材３２の枢軸３４回りに弦巻ばねが設けられて、可動部材３２を回動方向一方向に付勢している。また、同軸ケーブル１２が出力端子１４に接続される前の状態においては、表示部４０が窓部３０に対して重ならない位置で、ケース２０内壁部に突設された突起４２に対して当接されていることにより、可動部材３２における回動方向一方向への変位が規制されている。つまり、可動部材３２の表示部４０を窓部３０と対向しない位置に位置決めする変位規制手段が、弦巻ばねや突起４２を含んで構成されており、かかる変位規制手段によって、ケース２０外部から窓部３０を通じて視認される色が表示部４０以外の色とされる状態を保持している。
【００３５】
このような構成の分配器１０においては、同軸ケーブル１２を挿通孔２２の内側のリリース部材２８に内挿し、芯線１６を第一接片２４における一対のばね金具の間に差し込んでそれらばね金具に挟持させると共に、外部導体１８を第二接片２６に差し込んで、第二接片２６の内周部分に対して挿通方向と反対方向に弾性的に係止させることが可能となる
。
【００３６】
これにより、同軸ケーブル１２が出力端子１４に接続される。なお、上述の説明からも明らかなように、出力端子１４の第二接片２６は、可動部材３２の外部導体１８と接続する端子として機能することに加え、可動部材３２を弾性的に係止する弾性係止片としても機能する。
【００３７】
また、同軸ケーブル１２と出力端子１４との接続状態を解除する場合には、同軸ケーブル１２に外挿されたリリース部材２８を同軸ケーブル１２の挿通方向に変位させて、第二接片２６を押圧変形させ、第二接片２６の内周部分と外部導体１８との係止を解除した状態で、同軸ケーブル１２を挿通孔２２から引き抜くことにより、接続状態が解除される。
【００３８】
ここで、本実施形態の分配器１０においては、同軸ケーブル１２と出力端子１４との接続の際に、芯線１６の先端部分が可動部材３６の枢軸３４を挟んだ一方の部分３６に当接し、かかる当接に伴い可動部材３６が回動方向他方に回動して、可動部材３６の表示部４０が窓部３０を覆う位置に配されるようになっている。
【００３９】
なお、図面上に明示されていないが、同軸ケーブル１２の一部がケース２０を構成する部材乃至は部位に当接したり、或いは第一接片２４の芯線１６に対する挟圧保持力又は第二接片２６の外部導体１８に対する弾性係止力が大きくなったりして、同軸ケーブル１２における挿通方向の変位が規制されることによって、可動部材３２における回動方向他方向への変位が規制されている。つまり、可動部材３２の表示部４０を窓部３０と対向する位置に位置決めする変位規制手段が、同軸ケーブル１２とケース２０と第一接片２４と第二接片２６との少なくとも一つを含んで構成されている。
【００４０】
要するに、本実施形態の分配器１０によれば、同軸ケーブル１２と端子１４との接続操作に連動して、可動部材３２が変位することにより、外方から視認される窓部３０の色が、接続前と接続後とで変化することから、同軸ケーブル１２と端子１４が接続されているか否かが、電力を要さずに外部から容易に視認されるのである。
【００４１】
特に本実施形態では、窓部３０が可及的に小さくされていることに加えて、同軸ケーブル１２と端子１４とが接続された状態下、窓部３０の全体が、導電性部材からなる可動部材３２の表示部４０で覆われることから、分配器１０の耐ノイズ性が飛躍的に向上される。
【００４２】
また、本実施形態においては、可動部材３２の他方の部分３８と表示部４０とが相対的に変形可能とされていることから、可動部材３２の回動に伴い表示部４０がケース２０壁部等に当接する際に、可動部材３２に生じる負荷が軽減され、可動部材３２の耐久性が好適に確保される。しかも、表示部４０が窓部３０に対向する際に、上記変形作用を利用して、表示部４０を窓部３０の周縁部に容易に当接させることが出来、それによって、表示部４０の窓部３０を通じて視認される色の明瞭性や分配器１０の耐ノイズ性の更なる向上が図られる。
【００４３】
さらに、本実施形態では、可動部材３２が芯線１６の先端部分に当接することによって回動して、窓部３０の色が変化することから、外部導体１８に加え芯線１６が接続されたことを確実に知ることが出来、同軸ケーブル１２の端子１４への接続信頼性が増す。
【００４４】
更にまた、本実施形態の可動部材３２においては、枢軸３４や一方及び他方の部分３６，３８、表示部４０を含む全体が絶縁性の合成樹脂材料などを用いて一体形成されていることによって、可動部材３２と同軸ケーブル１２の芯線１６との当接による電気的なロス
が抑制されると共に、形成が容易となる。
【００４５】
以上、本発明の一実施形態について詳述してきたが、かかる実施形態における具体的な記載によって、本発明は、何等限定されるものでなく、当業者の知識に基づいて種々なる変更、修正、改良等を加えた態様で実施可能である。また、そのような実施態様が本発明の趣旨を逸脱しない限り、何れも、本発明の範囲内に含まれるものであることは言うまでもない。
【００４６】
例えば、前記実施形態では、窓部３０の色の変化は、同軸ケーブル１２と端子１４との非接続状態において可動部材３２の表示部４０が窓部３０に対向しない位置に配され、同軸ケーブル１２と端子１４との接続状態において可動部材３２の表示部４０が窓部３０と対向する位置に配されることによってなされていたが、非接続状態において表示部を窓部と対向する位置に配し、接続状態において表示部を窓部と対向しない位置に配することによって、窓部３０の色が変化するようにしても良い。
【００４７】
また、前記実施形態では、可動部材３４を窓部３０と対向する領域を変位させる機構が、可動部材３４の中間部分に形成された枢軸３４を挟んだ一方の部分３６が同軸ケーブル１２に当接して、他方の部分３８が枢軸３４回りを回動することによる回動機構によって構成されていたが、例えば、可動部材の一方の端部を回動端として、回動端付近を同軸ケーブルに当接させて可動部材の他方の端部を窓部と対向する領域を変位させる回動機構を採用しても良い。或いは、可動部材をケースに対してスライド変位可能に支持させて、可動部材に同軸ケーブルを当接させ、可動部材を窓部と対向する領域に変位させるスライド機構を採用しても良い。
【００４８】
さらに、前記実施形態では、同軸ケーブル１２の芯線１６と当接する一方の部分３６や窓部３０を覆う表示部４０などを含む可動部材３２の全体が、絶縁性の合成樹脂材料により構成されていたが、これに限定されるものでなく、例えば、可動部材の各部位がそれぞれ異なる材料を用いて別体形成されて、互いに固定されることにより構成されても良い。特に可動部材において、窓部を覆う表示部を、導電性を有する金属材料や合成樹脂材料などの導電性部材で形成し、同軸ケーブルの芯線と当接する部分を、絶縁性を有する合成樹脂材料などで形成することによって、表示部が窓部を覆う位置に配された際に、ケース内部の電子回路のシールド性を向上させつつ、可動部材と芯線との当接による電気的なロスを抑制することも可能である。
【符号の説明】
【００４９】
１０…分配器、１２…同軸ケーブル、１４…出力端子、１６…芯線、１８…外部導体、２０…ケース、２４…第一接片、２６…第二接片、３０…窓部、３２…可動部材
【図１】
2010238608.tif 000003
【図２】
2010238608.tif 000004
【図３】
2010238608.tif 000005